【手続補正書】
【提出日】平成20年5月16日(2008.5.16)
【手続補正１】
【補正対象書類名】特許請求の範囲
【補正対象項目名】全文
【補正方法】変更
【補正の内容】
【特許請求の範囲】
【請求項１】
メディアファイルを有しているデバイスから保存媒体に前記メディアファイルを移動させる方法において、
前記デバイスから前記デバイスの固有識別情報を受信するステップと、
前記固有識別情報に基づいてディレクトリを生成するステップと、
前記デバイスから受信されたメディアファイルを前記ディレクトリに保存するステップと、を含むことを特徴とするメディアファイルの移動方法。
【請求項２】
前記ディレクトリは、前記デバイスのクラス情報と前記デバイスの供給者または製作者の識別情報のうち、少なくとも何れか一つを更に利用して生成されることを特徴とする請求項１に記載のメディアファイルの移動方法。
【請求項３】
前記ディレクトリは、前記固有の識別情報についての翻訳された情報、前記デバイスのクラス情報、及び前記デバイスの供給者または製作者の識別情報のうち、少なくとも何れか一つを利用して生成されることを特徴とする請求項１に記載のメディアファイルの移動方法。
【請求項４】
前記方法は、
前記固有識別情報に基づくディレクトリ名称を生成するステップを更に含み、
前記ディレクトリを生成するステップは、前記保存媒体に前記ディレクトリが存在しているか否かをチェックするステップと、前記保存媒体に前記ディレクトリが存在していなければ、前記固有識別情報に基づいて前記ディレクトリを生成するステップとを含み、
前記保存媒体に前記ディレクトリが存在しているか否かをチェックするステップは、前記ディレクトリ名称を利用して行われることを特徴とする請求項３に記載のメディアファイルの移動方法。
【請求項５】
前記ディレクトリを生成するステップは、前記保存媒体に前記ディレクトリが存在しているか否かをチェックするステップと、前記保存媒体に前記ディレクトリが存在していなければ、前記固有識別情報に基づいて前記ディレクトリを生成するステップとを含むことを特徴とする請求項１に記載のメディアファイルの移動方法。
【請求項６】
メディアファイルを保存しているデバイスから保存媒体に前記メディアファイルを移動させる方法において、
前記デバイスが前記デバイスの固有識別情報の要求を受信すれば、前記デバイスの固有識別情報に基づく情報を前記保存媒体に送出するステップと、
前記デバイスがメディアファイル要求を受信すれば、前記メディアファイルを前記保存媒体に送出するステップと、を含むことを特徴とするメディアファイルの移動方法。
【請求項７】
前記固有識別情報に基づく情報は、前記デバイスのクラス情報、前記デバイスの固有識別情報、及び前記デバイスの供給者または製作者の識別情報のうち、少なくとも何れか一つを含むことを特徴とする請求項６に記載のメディアファイルの移動方法。
【請求項８】
メディアファイルとアルバムファイルとを保存しているデバイスから保存媒体に前記メディアファイルを移動させる方法において、
前記デバイスからアルバムファイルを受信するステップと、
前記アルバムファイルをパージングして得た前記デバイスの固有識別情報に基づくディレクトリを生成するステップと、
前記デバイスから受信された前記アルバムファイルと前記メディアファイルとを前記ディレクトリに保存するステップと、を含むことを特徴とするメディアファイルの移動方法。
【請求項９】
前記ディレクトリを生成するステップは、
前記アルバムファイルをパージングして得た前記デバイスの固有識別情報と前記デバイスのメタデータとに基づいてディレクトリ名称を生成するステップと、
前記ディレクトリ名称を利用することにより、前記ディレクトリが前記保存媒体に存在しているか否かをチェックするステップと、
前記保存媒体に前記ディレクトリが存在していなければ、前記ディレクトリ名称を有するディレクトリを生成するステップと、
を含むことを特徴とする請求項８に記載のメディアファイルの移動方法。
【請求項１０】
前記メタデータは、前記デバイスのクラス情報、前記デバイスの供給者または製作者情報、前記デバイスのモデル番号、前記アルバムファイルについての最近デバイスの情報のうち、少なくとも何れか一つを含むことを特徴とする請求項９に記載のメディアファイルの移動方法。
【請求項１１】
メディアファイルとアルバムファイルとを保存しているデバイスから保存媒体に前記メディアファイルを移動させる方法において、
前記デバイスが前記メディアファイル要求を受信すれば、前記デバイスに保存されている前記メディアファイルと前記メディアファイルに相応するアルバムファイルとを読み取るステップと、
前記読み取ったメディアファイルとアルバムファイルとを前記保存媒体に送出するステップと、を含むことを特徴とするメディアファイルの移動方法。
【請求項１２】
前記アルバムファイルは、前記メディアファイルのインデックスファイルであることを特徴とする請求項１１に記載のメディアファイルの移動方法。
【請求項１３】
前記アルバムファイルは、前記デバイスの識別情報、前記デバイスのクラス情報、前記デバイスのモデル番号、前記デバイスの供給者または製作者の識別情報、及び前記アルバムファイルについての最近デバイスの情報のうち、少なくとも何れか一つを含むことを特徴とする請求項１１に記載のメディアファイルの移動方法。
【請求項１４】
メディアファイルを保存しているデバイスから保存媒体に前記メディアファイルを移動させる装置において、
前記デバイスから前記デバイスの固有識別情報と前記メディアファイルとを受信するインターフェース部と、
前記保存媒体の少なくとも一つのディレクトリを管理し、前記メディアファイルについての書込み機能を行うファイルシステムと、
前記インターフェース部から受信された前記固有識別情報に基づくディレクトリを生成するのを前記ファイルシステムに要求し、前記ディレクトリに前記メディアファイルを書込むのを、前記ファイルシステムに要求するメディアファイル移動制御部と、を備えることを特徴とするメディアファイル移動装置。
【請求項１５】
前記メディアファイル移動制御部は、前記固有識別情報に基づくディレクトリ名称を生成し、該ディレクトリ名称を利用することにより前記ファイルシステムに前記ディレクトリが存在するか否かをチェックし、前記ディレクトリが前記ファイルシステムに存在していなければ、前記ディレクトリ名称を有するディレクトリ生成を前記ファイルシステムに要求することを特徴とする請求項１４に記載のメディアファイル移動装置。
【請求項１６】
前記メディアファイル移動制御部は、
前記デバイスのクラス情報と前記デバイスの供給者または製作者の識別情報とのうち、少なくとも何れか一つを更に利用して前記ディレクトリ名称を生成することを特徴とする請求項１５に記載のメディアファイル移動装置。
【請求項１７】
前記メディアファイル移動制御部は、
前記固有識別情報を翻訳した情報、前記デバイスのクラス情報、及び前記デバイスの供給者または製作者の識別情報のうち、少なくとも何れか一つを利用して前記ディレクトリ名称を生成することを特徴とする請求項１５に記載のメディアファイル移動装置。
【請求項１８】
前記メディアファイル移動制御部は、
少なくとも一つのデバイスの固有識別情報に相応する翻訳情報を保存するテーブルと、
前記デバイスの固有識別情報に基づいて前記テーブルから前記翻訳情報を得るテーブルマネジャーと、
前記インターフェース部から受信された前記固有識別情報を前記テーブルマネジャーに提供し、前記テーブルマネジャーから受信された翻訳情報に基づく名称を有するディレクトリが前記保存媒体に存在しているかについて前記ファイルシステムをチェックし、前記ディレクトリが前記保存媒体に存在すれば、前記ファイルシステムに前記メディアファイルについての書込みを要求するダウンロードマネジャーと、を含むことを特徴とする請求項１５に記載のメディアファイル移動装置。
【請求項１９】
前記ダウンロードマネジャーは、前記翻訳情報と前記デバイスのクラス情報とに基づくディレクトリ名称を生成し、生成されたディレクトリ名称を有するディレクトリが前記ファイルシステムに存在しているか否かをチェックすることを特徴とする請求項１８に記載のメディアファイル移動装置。
【請求項２０】
前記テーブルマネジャーは、前記テーブルに前記固有識別情報に対応する翻訳情報が存在していなければ、前記固有識別情報に相応する翻訳情報を生成し、生成された翻訳情報に基づいて前記テーブルに保存された前記翻訳情報をアップデートすることを特徴とする請求項１８に記載のメディアファイル移動装置。
【請求項２１】
メディアファイルとアルバムファイルとを保存しているデバイスから保存媒体に前記メディアファイルを移動させる装置において、
前記デバイスから前記メディアファイルと前記メディアファイルに相応するアルバムファイルとを受信するインターフェース部と、
前記保存媒体の少なくとも一つのディレクトリを管理し、前記アルバムファイルと前記メディアファイルとについての書込み機能を行うファイルシステムと、
前記インターフェース部から受信された前記アルバムファイルに基づくディレクトリを生成するよう前記ファイルシステムに要求し、前記ディレクトリに前記アルバムファイルと前記メディアファイルとを書込むよう前記ファイルシステムに要求するメディアファイル移動制御部と、を備えることを特徴とするメディアファイル移動装置。
【請求項２２】
前記アルバムファイルは、前記デバイスの識別情報、前記デバイスのクラス情報、前記デバイスのモデル番号、前記デバイスの供給者または製作者の識別情報、及びアルバムファイルの最近デバイス情報のうち、少なくとも何れか一つを含むことを特徴とする請求項２１に記載のメディアファイル移動装置。
【請求項２３】
前記メディアファイル移動制御部は、
前記アルバムファイルに基づくディレクトリ名称をさらに生成し、該ディレクトリ名称を利用してファイルシステムにディレクトリが存在するか否かをチェックし、前記生成されたディレクトリ名称を有するディレクトリが前記ファイルシステムに存在していなければ、前記ディレクトリ名称を有するディレクトリの生成を前記ファイルシステムに要求することを特徴とする請求項２２に記載のメディアファイル移動装置。
【請求項２４】
前記メディアファイル移動制御部は、
少なくとも一つのメディアデバイスの固有識別情報に相応する翻訳情報を保存するテーブルと、
前記メディアデバイスの固有識別情報に基づいて前記テーブルから前記翻訳情報を得るテーブルマネジャーと、
前記アルバムファイルをパージングするアルバムファイルパーサーと、
前記インターフェース部から受信された前記アルバムファイルを前記アルバムファイルパーサーに伝送し、前記アルバムファイルパーサーから受信されたパージング結果に含まれている前記デバイスの固有識別情報を前記テーブルマネジャーに提供し、前記テーブルマネジャーから受信された翻訳情報に基づく名称を有するディレクトリが前記保存媒体に存在しているかについて前記ファイルシステムをチェックし、前記ディレクトリが存在すれば、前記ファイルシステムに前記アルバムファイルと前記メディアファイルとについての書込み機能を要求するファイルダウンロードマネジャーと、を備えることを特徴とする請求項２１に記載のメディアファイル移動装置。
【請求項２５】
前記アルバムファイルは、前記デバイスの識別情報、前記デバイスのクラス、前記デバイスのモデル番号、前記デバイスの供給者または製作者の識別情報、及び最近デバイスのモデル番号のうち、少なくとも何れか一つを含むことを特徴とする請求項２４に記載のメディアファイル移動装置。
【請求項２６】
メディアファイルを保存しているデバイスから保存媒体に前記メディアファイルを移動させる方法を行うためのプログラムが保存されたコンピュータ可読保存媒体において、
前記メディアファイルの移動方法は、
前記デバイスから前記デバイスの固有識別情報を受信するステップと、
前記固有識別情報に基づいてディレクトリを生成するステップと、
前記デバイスから受信されたメディアファイルを前記ディレクトリに保存するステップと、を含むことを特徴とする保存媒体。
【請求項２７】
メディアファイルとアルバムファイルとを保存しているデバイスから保存媒体に前記メディアファイルを移動させる方法を行うためのプログラムが保存されたコンピュータ可読保存媒体において、
前記メディアファイルの移動方法は、
前記デバイスからアルバムファイルを受信するステップと、
前記アルバムファイルをパージングして得た固有識別情報に基づいて前記ディレクトリを生成するステップと、
前記デバイスの前記アルバムファイルと前記メディアファイルとを前記ディレクトリに保存するステップと、を含むことを特徴とする保存媒体。
【請求項２８】
前記メディアファイル及び前記アルバムファイルは、ＭＰＶ規格によっていることを特徴とする請求項８または１１に記載のメディアファイルの移動方法。
【請求項２９】
前記メディアファイル及び前記アルバムファイルは、ＭＰＶ規格によっていることを特徴とする請求項２１に記載のメディアファイル移動装置。
【請求項３０】
前記メディアファイル及び前記アルバムファイルは、ＭＰＶ規格によっていることを特徴とする請求項２７に記載の保存媒体。